(57)【要約】【課題】モニター付きミラーに表示させるデータを記憶した記憶媒体の交換作業をかご室内で容易に行うことができる乗りかごを提供することを課題とする。【解決手段】エレベータを構成する乗りかご１０は、かご内壁面に映像コンテンツを表示するモニター付きミラーと、かご室Ｒの操作盤１４内に配置され、記憶媒体が着脱自在に装着される記憶媒体挿入部と、モニター付きミラーと記憶媒体挿入部とを電気接続することで記憶媒体に記憶されている映像コンテンツをモニター付きミラーに伝送可能にする接続配線Ｎ１とを備える。【選択図】図１
2018080017.tif 000002
【特許請求の範囲】
【請求項１】
エレベータを構成する乗りかごであって、
かご内壁面に映像コンテンツを表示するモニター付きミラーと、
かご室の操作盤内に配置され、記憶媒体が着脱自在に装着される記憶媒体挿入部と、
前記モニター付きミラーと前記記憶媒体挿入部とを電気接続することで前記記憶媒体に記憶されている前記映像コンテンツを前記モニター付きミラーに伝送可能にする接続配線と
を備えたことを特徴とする乗りかご。
【請求項２】
前記接続配線は、前記モニター付きミラーの背面側を経由してかご天井の外周部を経由し、更に、前記操作盤内に入って前記記憶媒体挿入部に接続されるように敷設されていることを特徴とする請求項１に記載の乗りかご。
【請求項３】
前記接続配線は、前記モニター付きミラーの背面側を経由し、前記かご室を構成する幅木内側を経由し、更に、前記操作盤内に入って前記記憶媒体挿入部に接続されるように敷設されていることを特徴とする請求項１に記載の乗りかご。
【請求項４】
前記記憶媒体挿入部は、前記操作盤のスイッチボックス内に配置された取付部材で固定されていることを特徴とする請求項１〜３の何れか１項に記載の乗りかご。
【請求項５】
前記スイッチボックスの裏面側には、前記接続配線が通過する開口が形成されていることを特徴とする請求項４に記載の乗りかご。
【発明の詳細な説明】
【技術分野】
【０００１】
本発明の実施形態は、エレベータを構成する乗りかごに関する。
【背景技術】
【０００２】
エレベータの昇降路内では、乗りかごがレール等に案内されて昇降動するようになっている。
【０００３】
この乗りかごのかご室の側面は、パネルによって形成されている。またかご室の側面には、操作盤や手すりなどが配置されている。そして操作盤からの指令によって乗りかごの動作が指令される（例えば特許文献１参照）。
【０００４】
近年、かご室内の構成部材としてモニター付きミラーを配置することが提案されている。このモニター付きミラーには、記憶媒体（例えばＵＳＢ）のデータによって、種々の映像を静止画のみならず動画も表示することが提案されている。
【先行技術文献】
【特許文献】
【０００５】
【特許文献１】特開2010-47339号公報
【発明の概要】
【発明が解決しようとする課題】
【０００６】
ところで、かご室内のこのモニター付きミラーに表示させるコンテンツを更新させるには、記憶媒体を交換する必要がある。
【０００７】
ここで、この記憶媒体を装着するための記憶媒体装着部は、景観などの観点で、乗員の目に触れないようにモニター付きミラーの裏側、すなわちかご室の外側に配置されている。このため、記憶媒体の交換作業を行い難い。
【０００８】
本発明は上記事情に鑑みてなされたものであり、モニター付きミラーに表示させるデータを記憶した記憶媒体の交換作業をかご室内で容易に行うことができる乗りかごを提供することを課題とする。
【課題を解決するための手段】
【０００９】
本発明の実施形態に係る乗りかごは、エレベータを構成する乗りかごである。乗りかごは、かご内壁面に映像コンテンツを表示するモニター付きミラーと、かご室の操作盤内に配置され、記憶媒体が着脱自在に装着される記憶媒体挿入部と、モニター付きミラーと記憶媒体挿入部とを電気接続することで記憶媒体に記憶されている映像コンテンツをモニター付きミラーに伝送可能にする接続配線とを備える。
【図面の簡単な説明】
【００１０】
【図１】第１実施形態に係る乗りかごの構成を説明する斜視図。
【図２】第１実施形態に係る乗りかごの構成を説明する斜視図。
【図３】第１実施形態で、記憶媒体挿入部を固定することを説明する斜視図。
【図４】第１実施形態で、かご外側における接続配線の固定構造を説明する部分斜視図。
【図５】（ａ）および（ｂ）は、それぞれ、第１実施形態の変形例で、記憶媒体挿入部を固定することを説明する展開斜視図および斜視図。
【図６】第２実施形態に係る乗りかごの構成を説明する斜視図。
【図７】（ａ）および（ｂ）は、それぞれ、第２実施形態で接続配線を幅木内側に敷設することを説明する模式的な展開図および側面図。
【図８】第２実施形態で、幅木内側に接続配線を敷設する構成を示す模式的な斜視図。
【図９】第３実施形態に係る乗りかごおよびその変形例を説明する斜視図。
【図１０】他の実施形態に係る乗りかごを説明する斜視図。
【発明を実施するための形態】
【００１１】
以下、添付図面を参照して、実施形態として、エレベータの昇降路内を移動する乗りかごを説明する。なお、第２実施形態以下では、第１実施形態で説明した構成要素と同様の構成要素には同じ符号を付してその説明を省略する。
【００１２】
［第１実施形態］
まず、第１実施形態について説明する。図１、図２は、何れも、本実施形態に係る乗りかごの構成を説明する斜視図である。図３は、本実施形態で、記憶媒体挿入部を固定することを説明する斜視図である。図４は、本実施形態で、かご外側における接続配線の固定構造を説明する部分斜視図である。
【００１３】
本実施形態に係る乗りかご１０は、かご内壁面に映像コンテンツを表示するモニター付きミラー１２（ミラーサイネージ）と、かご室Ｒの操作盤１４内に配置され、記憶媒体Ｍ（本実施形態ではＵＳＢメモリ）が着脱自在に装着される記憶媒体挿入部１６と、記憶媒体挿入部１６とモニター付きミラー１２とを電気接続することで、記憶媒体Ｍに記憶されている映像コンテンツをモニター付きミラー１２に伝送可能にする接続配線Ｎ１とを備える。操作盤１４はかご室Ｒの正面側の隅部に配置されている。また、接続配線Ｎ１は、かご天井を経由するように敷設された配線である。
【００１４】
モニター付きミラー１２は、かご内壁面を構成するハーフミラー２０と、ハーフミラー２０の裏面側に配置され画像を表示するモニター２２（何れも図２参照）と、モニター２２に電気接続されてモニター２２に映像コンテンツを送信する制御部（例えばＳＴＢ（セットトップボックス））２４とを備えている。そして、映像コンテンツをモニター２２で表示することで映像をかご室内から視認でき、映像コンテンツをモニター２２で表示しないことで鏡としての機能が発揮される構成にされている。
【００１５】
記憶媒体挿入部１６は、図１、図３に示すように、操作盤１４のスイッチボックス２８内に取付部材３０で固定されている。本実施形態では、取付部材３０は、平板部材をプレス加工等することで形成されたブラケット３２と、ブラケット３２に正面側から固定されるプレート３４と、プレート３４をブラケット３２に固定する固定具３６（ビスあるいはネジなど）で構成される。
【００１６】
ブラケット３２は、記憶媒体挿入部１６を収容する凹部３２ｄと、凹部３２ｄの両サイドにそれぞれ連続するプレート固定部３２ｆと、プレート固定部３２ｆの上下側にそれぞれ連続してスイッチボックス２８内の基盤面Ｓ上にネジ等で固定される脚部３２ｂとを有する。凹部３２ｄには両面テープ３８が貼付されており、記憶媒体挿入部１６が両面テープ３８に吸着され、更に、プレート３４が固定具３６でブラケット３２に固定されることで、記憶媒体挿入部１６が取付部材３０に安定して固定されている。そして記憶媒体挿入部１６は、記憶媒体Ｍが着脱自在に差し込まれるポートＰを上部に有する。なお、両面テープ３８に代えて接着剤を用いることで強固に固定する構成にしてもよい。
【００１７】
また、スイッチボックス２８の裏面側には、ブラケット３２のやや下方位置に、接続配線Ｎ１（図３、図４参照）が通過する開口４０が形成されている。
【００１８】
＜接続配線＞
図１〜図４に示すように、接続配線Ｎ１は、モニター付きミラー１２の制御部２４に接続されて、モニター付きミラー１２の背面側を経由しつつ上方へ延び、かご天井１０ｔの外周部１０ｔｅを経由し、開口４０を通過して操作盤１４内に入り記憶媒体挿入部１６に接続されるように敷設されている。モニター付きミラー１２の背面側の経由では、モニター付きミラー１２が配置されている背面側パネルＢＰのモニター付きミラー１２側を経由してもよいし、背面側パネルＢＰのかご外側を経由してもよい。
【００１９】
図４に示すように、かご天井の外周部１０ｔｅでは、接続配線Ｎ１を固定するための天井側固定部材４４が固定されている。
【００２０】
この天井側固定部材４４は、接続配線Ｎ１が通過できるように側面視でコの字状（下側を開放している枠状）の本体部４４ｍと、本体部４４ｍの下端側で両サイド外側にそれぞれ延び出している被固定部４４ｆとで構成されている。そして、本体部４４ｍには結束バンドＢを固定するための挿通孔Ｈが形成されており、結束バンドＢによって接続配線Ｎ１が本体部４４ｍの内側に締め付けられて固定されている。また、被固定部４４ｆはかご天井の外周部１０ｔｅに固定されている。
【００２１】
そして、かご天井の外周部１０ｔｅを経由して、操作盤対応外側角部Ｅ（乗りかご１０の正面側パネルと側面側パネルとで形成され、操作盤１４が配置されているかご室内の隅部のかご外側に位置する角部）の上部に接続配線Ｎ１が到達する。そして、操作盤対応外側角部Ｅに沿って下方に延び、乗りかご下側から操作盤１４内に入っている。そして、上述したように、スイッチボックス２８の開口４０を経由し、スイッチボックス２８内で記憶媒体挿入部１６に接続されている。接続配線Ｎ１は、操作盤対応外側角部Ｅでは、結束バンドＢなどにより操作盤対応外側角部Ｅに締め付けられて固定されている。
【００２２】
（作用、効果）
このような構成により、本実施形態では、モニター付きミラー１２に表示させる映像コンテンツを変更するには、かご室Ｒ内でスイッチボックス２８を開いて記憶媒体Ｍ（ＵＳＢメモリ）を交換すればよい。従って、従来のように制御部２４の背面側（かご外側）に差し込まれた記憶媒体を交換する作業は不要になり、容易に短時間で記憶媒体Ｍを交換することができる。しかも、専用の保守員に限らず、エレベータの管理者や所有者など、専門の知識や専門の作業能力がない人であってもこの交換をすることができる。
【００２３】
また、本実施形態の構成の乗りかご１０では、出荷時に予めブラケット３２を組み立てておくことや、乗りかご１０が組み立てられた後に接続配線Ｎ１を配置して固定することができる。従って、乗りかご１０の組立て時にブラケット３２の取付けや接続配線Ｎ１の固定を行わなくても済むので、作業負荷が軽減され、このような乗りかご１０を短時間で容易に組立てることができる。
【００２４】
なお、ブラケット３２の構成は特に限定せず、例えば図５に示すように、記憶媒体挿入部１６を正面側および下方側から支える支持部５０ｕを有する構成のブラケット５０にしてもよい。これにより、プレート３４を取り付けなくてもよい構造にでき、部品点数の低減や作業時間の短縮を図ることができる。
【００２５】
この場合、図５に示すように、上下方向に長いスリット状開口５０ｓを支持部５０ｕの正面側に予め形成しておくとともに、支持部５０ｕの下面側に、スリット状開口５０ｓの下端に連通して記憶媒体挿入部１６の下端部を露出させる下側開口５０ｃを形成しておことが好ましい。これにより、接続配線Ｎ１に接続された記憶媒体挿入部１６をブラケット５０の上方に位置させるとともに接続配線Ｎ１をスリット状開口５０ｓからブラケット５０内に入れ、記憶媒体挿入部１６および接続配線Ｎ１を下方へ移動させることでブラケット５０に記憶媒体挿入部１６を簡単にセットすることができる。
【００２６】
また、記憶媒体挿入部１６がブラケットにクリック音とともに係合するラッチ構造のブラケットにしてもよい。
【００２７】
［第２実施形態］
次に、第２実施形態を説明する。図６は、本実施形態に係る乗りかごの構成を説明する斜視図である。図７（ａ）および（ｂ）は、それぞれ、本実施形態で接続配線を幅木内側に敷設することを説明する模式的な展開図および側面図である。図８は、本実施形態で、幅木内側に接続配線を敷設する構成を示す模式的な斜視図である。
【００２８】
図６に示すように、本実施形態に係る乗りかご６０は、第1実施形態で説明した接続配線Ｎ１に代えて、乗りかご６０の幅木内側を通過する接続配線Ｎ２を備えており、第１実施形態に比べて接続配線の配線ルートが異なっている。
【００２９】
接続配線Ｎ２は、モニター付きミラー１２の制御部２４に接続されモニター付きミラー１２の背面側を経由しつつ下方へ延び、かご室Ｒの幅木６２内側を経由し、操作盤１４の開口４０を経由して操作盤１４内に入り記憶媒体挿入部１６に接続されるように敷設されている。
【００３０】
図７、図８に示すように、乗りかご６０は、かご室Ｒの内壁面を構成している幅木６２と、幅木６２の裏面側に位置する幅木受け６４とを備えている。幅木受け６４は、接続配線Ｎ２を収容できるように、接続配線Ｎ２の太さに応じた寸法の配線用凹部６４ｄが形成されている。この構成により、接続配線Ｎ２が配線用凹部６４ｄに収容され、幅木６２がこれを覆うように配置されており、幅木６２内側を接続配線Ｎ２が幅木６２に沿って敷設された構成になっている。
【００３１】
なお、幅木６２は、幅木受け６４に磁石で着脱自在に固定される構成であってもよいし、幅木受け６４に両面テープ等で固定されていてもよい。
【００３２】
本実施形態により、第１実施形態と同様、乗りかご６０の記憶媒体Ｍ（ＵＳＢメモリ）をかご室Ｒ内で交換することで容易に短時間で変更することができ、また、乗りかご６０の組立て時の作業負荷が軽減され短時間で容易に組立てることができる。
【００３３】
その上、幅木６２を利用して接続配線Ｎ２を敷設した乗りかご６０とすることができ、かご外側に敷設する配線長さを大幅に低減させることができる、という効果も奏される。
【００３４】
［第３実施形態］
次に、第３実施形態を説明する。図９は、本実施形態に係る乗りかごおよびその変形例を説明する斜視図である。
【００３５】
図９に示すように、本実施形態に係る乗りかご７０は、接続配線Ｎ１や接続配線Ｎ２に代えて、記憶媒体挿入部１６と同じ高さ位置で側面側パネルＳＰ（図２も参照）を横切る接続配線Ｎ３を備えており、第１実施形態や第２実施形態に比べて接続配線Ｎ３の配線ルートが異なっている。接続配線Ｎ３は、記憶媒体挿入部１６と同じ高さ位置で側面側パネルＳＰ（図２も参照）のかご外側をかご背面側に向けて敷設され、更に、かご背面側では背面側パネルＢＰの側縁部ＢＰｅに沿って下方へ延び、第２実施形態と同様、幅木６２（図８参照）の内側を通って制御部２４に接続している。
【００３６】
このように、側面側パネルＳＰの下端ではなく途中高さ位置を経由する敷設がなされていてもよい。
【００３７】
なお、図９に示す接続配線Ｎ４のように、背面側パネルＢＰの側縁部ＢＰｅを横切ってそのまま制御部２４に背面側から接続される構成にしてもよい。これにより、記憶媒体挿入部１６と制御部２４とを最短長さで接続する構成にすることができる。
【００３８】
［他の実施形態］
図１０に示すように、かご室Ｒの正面両側にそれぞれ操作盤８４、８６が配置されている場合、制御部２４に近い位置の操作盤８４に記憶媒体挿入部１６を配置する。これにより、制御部２４から遠い位置の操作盤８４に記憶媒体挿入部１６を配置した場合に比べ、接続配線長さを大幅に短くすることができる。
【００３９】
例えば、図１０に示すように、かご天井を経由する接続配線Ｎ１、幅木内側を経由する接続配線Ｎ２、記憶媒体挿入部１６と同じ高さ位置で側面側パネルを横切るＮ３、同じ高さ位置に配置された制御部２４と記憶媒体挿入部１６とを最短長さで接続するＮ４、の何れを敷設した場合であっても、制御部２４から遠い位置の操作盤８４に記憶媒体挿入部１６を配置した場合に比べて接続配線長さを大幅に短くすることができる。
【００４０】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４１】
１０…乗りかご、１０ｔ…かご天井、１０ｔｅ…外周部、１２…モニター付きミラー、１４…操作盤、１６…記憶媒体挿入部、２０…ハーフミラー、２２…モニター、２４…制御部、２８…スイッチボックス、３０…取付部材、３２…ブラケット、３２ｂ…脚部、３２ｄ…凹部、３２ｆ…プレート固定部、３４…プレート、３６…固定具、３８…両面テープ、４０…開口、４４…天井側固定部材、４４ｆ…被固定部、４４ｍ…本体部、５０ｃ…下側開口、５０ｕ…支持部、５０…ブラケット、５０ｓ…スリット状開口、６０…乗りかご、６２…幅木、６４…幅木受け、６４ｄ…配線用凹部、７０…乗りかご、８４…操作盤、８６…操作盤、Ｂ…結束バンド、ＢＰ…背面側パネル、ＢＰｅ…側縁部、Ｅ…操作盤対応外側角部、Ｈ…挿通孔、Ｐ…ポート、ＳＰ…側面側パネル、Ｍ…記憶媒体、Ｎ１…接続配線、Ｎ２…接続配線、Ｎ３…接続配線、Ｎ４…接続配線、Ｒ…かご室、Ｓ…基盤面。
【図１】
2018080017.tif 000003
【図２】
2018080017.tif 000004
【図３】
2018080017.tif 000005
【図４】
2018080017.tif 000006
【図５】
2018080017.tif 000007
【図６】
2018080017.tif 000008
【図７】
2018080017.tif 000009
【図８】
2018080017.tif 000010
【図９】
2018080017.tif 000011
【図１０】
2018080017.tif 000012
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
エレベータを構成する乗りかごであって、
かご内壁面に映像コンテンツを表示するモニター付きミラーと、
かご室の操作盤のスイッチボックス内に配置された取付部材で固定されて前記スイッチボックスの内側の空間内に収容され、記憶媒体が着脱自在に装着される記憶媒体挿入部と、
前記スイッチボックス内に配置され前記記憶媒体挿入部を取付けるための取付部材と、
前記モニター付きミラーと前記記憶媒体挿入部とを電気接続することで前記記憶媒体に記憶されている前記映像コンテンツを前記モニター付きミラーに伝送可能にする接続配線と
を備え、
前記取付部材として、
前記記憶媒体挿入部を収容する凹部と、前記凹部の両サイドにそれぞれ連続して前記記録媒体挿入部の配置位置を規制するプレート固定部と、前記プレート固定部の上下側にそれぞれ連続して前記スイッチボックス内の基盤面上に固定される脚部とを有するブラケットと、
前記ブラケットに正面側から固定されるプレートと、
を備え、
前記記憶媒体挿入部は、前記凹部に両面テープまたは接着剤で固定されていることを特徴とする乗りかご。
【請求項２】
エレベータを構成する乗りかごであって、
かご内壁面に映像コンテンツを表示するモニター付きミラーと、
かご室の操作盤のスイッチボックス内に配置された取付部材で固定されて前記スイッチボックスの内側の空間内に収容され、記憶媒体が着脱自在に装着される記憶媒体挿入部と、
前記スイッチボックス内に配置され前記記憶媒体挿入部を取付けるための取付部材と、
前記モニター付きミラーと前記記憶媒体挿入部とを電気接続することで前記記憶媒体に記憶されている前記映像コンテンツを前記モニター付きミラーに伝送可能にする接続配線と
を備え、
前記取付部材として、前記記憶媒体挿入部を正面側および下方側から支える支持部を有するブラケットを備え、
前記支持部では、正面側には上下方向に長いスリット状開口が形成され、下面側には前記スリット状開口の下端に連通して前記記憶媒体挿入部の下端部を露出させる下側開口が形成されていることを特徴とする乗りかご。
【請求項３】
前記ブラケットは、前記記憶媒体挿入部がクリック音とともに係合するラッチ構造を有することを特徴とする請求項２に記載の乗りかご。
【請求項４】
前記接続配線は、前記モニター付きミラーの背面側を経由してかご天井に到達してかご天井外周部を経由し、更に、操作盤対応外側角部の上部から下方へ延び、かご下側から前記操作盤内に入って前記記憶媒体挿入部に接続されるように敷設されていることを特徴とする請求項１〜３の何れか１項に記載の乗りかご。
【請求項５】
前記接続配線は、天井側固定部材によって前記かご天井外周部に固定されており、
前記天井側固定部材は、接続配線が通過できるように下側を開放している枠状の本体部と、前記本体部の下端側で両サイド外側にそれぞれ延び出している被固定部とで構成され、前記本体部には結束バンドを固定するための挿通孔が形成されており、
前記結束バンドによって前記接続配線が前記本体部の内側に締め付けられて固定され、前記被固定部は前記かご天井外周部に固定されていることを特徴とする請求項４に記載の乗りかご。
【請求項６】
前記接続配線は、前記モニター付きミラーの背面側を経由し、前記かご室を構成する幅木の裏面側に位置する幅木受けに形成された配線用凹部に収容されることで幅木内側を経由し、更に、前記操作盤内に入って前記記憶媒体挿入部に接続されるように敷設されていることを特徴とする請求項１〜３の何れか１項に記載の乗りかご。
【請求項７】
前記スイッチボックスの裏面側には、前記接続配線が通過する開口が形成されていることを特徴とする請求項４〜６の何れか１項に記載の乗りかご。